【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
マルチレイヤビデオデータを復号する方法であって、
現在のレイヤのための依存タイプシンタックス要素がシグナリングされるかどうかを表す第１のシンタックス要素の値を受信することと、ここにおいて、前記依存タイプシンタックス要素が、各参照レイヤに対する前記マルチレイヤビデオデータの各レイヤのために有効化された依存のタイプを識別し、前記依存タイプシンタックス要素によって識別された依存の前記タイプが、レイヤ間サンプル予測、レイヤ間動き予測、またはレイヤ間サンプル予測とレイヤ間動き予測との組合せのうちの１つである、前記依存タイプシンタックス要素がシグナリングされることを示す前記第１のシンタックス要素の前記値に応答して、前記依存タイプシンタックス要素の値を受信することと、前記依存タイプシンタックス要素のそれぞれの値に基づいて前記参照レイヤに対する各レイヤのために有効化された依存の前記タイプを決定することと、または
前記依存タイプシンタックス要素がシグナリングされないことを示す前記第１のシンタックス要素の前記値に応答して、依存の同じタイプが各参照レイヤに対するすべてのレイヤのために有効化されると決定することと、依存の前記決定されたタイプに準拠するレイヤ間予測を使用して前記現在のレイヤのブロックを復号することと
を備える方法。
【請求項２】
各参照レイヤに対するすべてのレイヤのために有効化された依存の前記タイプが、前記参照レイヤが前記現在のレイヤのレイヤ間サンプル予測のために使用されるが、前記現在のレイヤのレイヤ間動き予測のためには使用されない第１の依存タイプ、前記参照レイヤが前記現在のレイヤのレイヤ間動き予測のために使用されるが、前記現在のレイヤのレイヤ間サンプル予測のためには使用されない第２の依存タイプ、または前記参照レイヤが前記現在のレイヤのレイヤ間サンプル予測とレイヤ間動き予測のレイヤ間サンプル予測とレイヤ間動き予測との両方のために使用される第３の依存タイプ、のうちの１つを備える、請求項１に記載の方法。
【請求項３】
各参照レイヤに対するすべてのレイヤのために有効化された依存の前記タイプがレイヤ間サンプル予測を備え、ここにおいて、レイヤ間予測を使用して前記現在のレイヤの前記ブロックを復号することが、前記参照レイヤ中で、前記現在のレイヤの前記ブロックのための予測ブロックを識別することを備える、請求項１に記載の方法。
【請求項４】
好ましくはビデオパラメータセットである、パラメータセットの一部として前記第１のシンタックス要素を受信することと、
前記依存タイプシンタックス要素がシグナリングされないことを示す前記第１のシンタックス要素の前記値に応答して、依存の同じタイプが前記パラメータセットに関連するすべての他のレイヤに対する前記現在のレイヤのために有効化されると決定することと
をさらに備える、請求項１に記載の方法。
【請求項５】
マルチレイヤビデオデータを符号化する方法であって、
複数のレイヤを備えるコード化されたビデオデータについて、前記複数のレイヤの符号化を、前記複数のレイヤのすべてのレイヤに対して同じ依存タイプを使用して行うべきか、それとも複数の依存タイプを使用して行うべきかを決定することと、ここにおいて、依存タイプが、参照レイヤに対する現在のレイヤのために有効化された依存のタイプを識別し、レイヤ間サンプル予測、レイヤ間動き予測、またはレイヤ間サンプル予測とレイヤ間動き予測との組合せのうちの１つである、
前記複数のレイヤの符号化を、前記同じ依存タイプを使用して行うべきか、それとも複数の依存タイプを使用して行うべきかを決定することに基づいて、現在のレイヤのための依存タイプシンタックス要素がシグナリングされるかどうかを表す第１のシンタックス要素の値を決定することと、ここにおいて、前記依存タイプシンタックス要素が、各参照レイヤに対する前記マルチレイヤビデオデータの各レイヤのために有効化された依存のタイプを識別する、
前記複数のレイヤの符号化を複数の依存タイプを使用して行うべきと決定したことに応答して、前記現在のレイヤのための前記依存タイプシンタックス要素を符号化することと、
前記複数のレイヤの符号化を前記同じ依存タイプを使用して行うべきと決定したことに応答して、前記依存タイプシンタックス要素の符号化をスキップすることと
を備える方法。
【請求項６】
前記第１のシンタックス要素が、パラメータセット中に含まれ、ここにおいて、前記依存タイプシンタックス要素の符号化をスキップすることが、前記パラメータセット中に前記依存タイプシンタックス要素のインスタンスを含めないことを備える、請求項５に記載の方法。
【請求項７】
前記同じ依存タイプが、前記参照レイヤが前記現在のレイヤのレイヤ間サンプル予測のために使用されるが、前記現在のレイヤのレイヤ間動き予測のためには使用されない第１の依存タイプ、前記参照レイヤが前記現在のレイヤのレイヤ間動き予測のために使用されるが、前記現在のレイヤのレイヤ間サンプル予測のためには使用されない第２の依存タイプ、または前記参照レイヤが前記現在のレイヤのレイヤ間サンプル予測とレイヤ間動き予測のレイヤ間サンプル予測とレイヤ間動き予測との両方のために使用される第３の依存タイプ、のうちの１つを備える、請求項５に記載の方法。
【請求項８】
ビデオ復号を実行する装置であって、
ビデオデータを記憶するメモリと、
１つまたは複数のプロセッサを備えたビデオコーダとを備え、前記１つまたは複数のプロセッサが、
現在のレイヤのための依存タイプシンタックス要素がシグナリングされるかどうかを表す第１のシンタックス要素の値を受信することと、ここにおいて、前記依存タイプシンタックス要素が、各参照レイヤに対するマルチレイヤビデオデータの各レイヤのために有効化された依存のタイプを識別し、前記依存タイプシンタックス要素によって識別された依存の前記タイプが、レイヤ間サンプル予測、レイヤ間動き予測、またはレイヤ間サンプル予測とレイヤ間動き予測との組合せのうちの１つである、
前記依存タイプシンタックス要素がシグナリングされることを示す前記第１のシンタックス要素の前記値に応答して、
前記依存タイプシンタックス要素の値を受信すること、および
前記依存タイプシンタックス要素のそれぞれの値に基づいて各参照レイヤに対する各レイヤのために有効化された依存の前記タイプを決定すること、または
前記依存タイプシンタックス要素がシグナリングされないことを示す前記第１のシンタックス要素の前記値に応答して、
依存の同じタイプが各参照レイヤに対するすべてのレイヤのために有効化されると決定すること、と、
依存の前記決定されたタイプに準拠するレイヤ間予測を使用して前記現在のレイヤのブロックを復号することと
を行うように構成された、装置。
【請求項９】
前記シンタックス要素の前記値が、前記依存タイプがシグナリングされないと示すとき、前記第１のシンタックス要素の前記値が、各参照レイヤに対するすべてのレイヤのために有効化された依存の前記タイプをさらに識別する、請求項８に記載の装置。
【請求項１０】
各参照レイヤに対するすべてのレイヤのために有効化された依存の前記タイプが、前記参照レイヤが前記現在のレイヤのレイヤ間サンプル予測のために使用されるが、前記現在のレイヤのレイヤ間動き予測のためには使用されない第１の依存タイプ、前記参照レイヤが前記現在のレイヤのレイヤ間動き予測のために使用されるが、前記現在のレイヤのレイヤ間サンプル予測のためには使用されない第２の依存タイプ、または前記参照レイヤが前記現在のレイヤのレイヤ間サンプル予測とレイヤ間動き予測のレイヤ間サンプル予測とレイヤ間動き予測との両方のために使用される第３の依存タイプ、のうちの１つを備える、請求項８に記載の装置。
【請求項１１】
各参照レイヤに対するすべてのレイヤのために有効化された依存の前記タイプがレイヤ間サンプル予測を備え、ここにおいて、レイヤ間予測を使用して前記現在のレイヤの前記ブロックを復号することが、前記参照レイヤ中で、前記現在のレイヤの前記ブロックのための予測ブロックを識別することを備える、請求項８に記載の装置。
【請求項１２】
前記１つまたは複数のプロセッサが、
好ましくはビデオパラメータセットである、パラメータセットの一部として前記第１のシンタックス要素を受信することと、
前記依存タイプシンタックス要素がシグナリングされないことを示す前記第１のシンタックス要素の前記値に応答して、依存の同じタイプが前記パラメータセットに関連するすべての他のレイヤに対する前記現在のレイヤのために有効化されると決定することと
を行うようにさらに構成された、請求項８に記載の装置。
【請求項１３】
ビデオ符号化を実行する装置であって、
ビデオデータを記憶するメモリと、
１つまたは複数のプロセッサを備えたビデオコーダとを備え、前記１つまたは複数のプロセッサが、
複数のレイヤを備えるコード化されたビデオデータについて、前記複数のレイヤの符号化を、前記複数のレイヤのすべてのレイヤに対して同じ依存タイプを使用して行うべきか、それとも複数の依存タイプを使用して行うべきかを決定することと、ここにおいて、依存タイプが、参照レイヤに対する現在のレイヤのために有効化された依存のタイプを識別し、レイヤ間サンプル予測、レイヤ間動き予測、またはレイヤ間サンプル予測とレイヤ間動き予測との組合せのうちの１つである、
前記複数のレイヤの符号化を、前記同じ依存タイプを使用して行うべきか、それとも複数の依存タイプを使用して行うべきかを決定することに基づいて、現在のレイヤのための依存タイプシンタックス要素がシグナリングされるかどうかを表す第１のシンタックス要素の値を決定することと、ここにおいて、前記依存タイプシンタックス要素が、各参照レイヤに対するマルチレイヤビデオデータの各レイヤのために有効化された依存のタイプを識別する、
前記複数のレイヤの符号化を複数の依存タイプを使用して行うべきと決定したことに応答して、前記現在のレイヤのための前記依存タイプシンタックス要素を符号化することと、
前記複数のレイヤの符号化を前記同じ依存タイプを使用して行うべきと決定したことに応答して、前記依存タイプシンタックス要素の符号化をスキップすることと
を行うように構成された、装置。
【請求項１４】
集積回路、
マイクロプロセッサ、または
ビデオコーダを含むワイヤレス通信デバイス
のうちの少なくとも１つを備える、請求項８または請求項１３に記載の装置。
【請求項１５】
１つまたは複数のプロセッサによって実行されたとき、前記１つまたは複数のプロセッサに、請求項１−７のいずれか一項に記載の方法を実行することを行わせる命令を記憶したコンピュータ可読記憶媒体。